(57)【要約】【課題】  動画像を構成する静止画像データの管理の効率化を図る。【解決手段】  １または複数の静止画像データ１１を連結して１つの静止画像データ群１０Ａを生成するとともに、前記静止画像データ群１０Ａに含まれる静止画像データ１１の個数と、前記静止画像データ群１０Ａにおける前記静止画像データ１１のそれぞれの区切りを示す区切情報とを含むヘッダ部１０Ｂを生成し、前記静止画像データ群１０Ａに前記ヘッダ部１０Ｂを付加して１つの動画像データ１０を生成するようにした。【選択図】      図２
2006270740.tif 000002
【特許請求の範囲】
【請求項１】
１または複数の静止画像データを連結して１つの静止画像データ群を生成する静止画像データ群生成手段と、
前記静止画像データ群に含まれる静止画像データの個数と、前記静止画像データ群における前記静止画像データのそれぞれの区切りを示す区切情報とを含むヘッダ部を生成するヘッダ部生成手段と、
前記静止画像データ群に前記ヘッダ部を付加して１つの動画像データを生成する動画像データ生成手段と
を具備することを特徴とする動画像データ生成装置。
【請求項２】
前記区切情報は前記静止画像データ群に含まれる静止画像データのそれぞれのデータ容量であることを特徴とする請求項１に記載の動画像データ生成装置。
【請求項３】
１または複数の静止画像データを連結して１つの静止画像データ群を生成するとともに、
前記静止画像データ群に含まれる静止画像データの個数と、前記静止画像データ群における前記静止画像データのそれぞれの区切りを示す区切情報とを含むヘッダ部を生成し、
前記静止画像データ群に前記ヘッダ部を付加して１つの動画像データを生成する
ことを特徴とする動画像データ生成方法。
【請求項４】
静止画像を表示する表示手段を備えた表示装置であって、
１または複数の静止画像データが連結されてなる静止画像データ群と、前記静止画像データ群に含まれる静止画像データの個数、および、前記静止画像データ群における前記静止画像データのそれぞれの区切りを示す区切情報を含むヘッダ部とを有するフォーマットのデータを表示する場合に、
前記個数および前記区切情報に基づいて前記静止画像データ群から各静止画像データを抽出し、前記静止画像データ抽出手段により抽出された前記静止画像データのそれぞれを所定の時間間隔で順次表示する
ことを特徴とする表示装置。
【請求項５】
前記静止画像データ群に含まれる前記静止画像データの個数が２以上であるか否かを判断し、２以上である場合に、前記静止画像データ群に含まれる静止画像データのそれぞれを所定の時間間隔で順次表示することを特徴とする請求項４に記載の表示装置。
【発明の詳細な説明】
【技術分野】
【０００１】
本発明は、複数の静止画像データに基づいて動画像を表示するための技術に関する。
【背景技術】
【０００２】
従来、時間的に連続した複数の静止画像データを連続的に順次表示することで、動画像を表示する技術が知られている（例えば、特許文献１参照）。
また、動画像再生機能を有しない表示装置にあっては、上記の手法に基づいて動画像を表示するために、予め記憶媒体に時間的に連続した複数の静止画像データと表示順番とを格納し、動画像表示時に、記憶媒体から静止画像データを表示順番にしたがって順次読み出し表示するように構成されているものがある。
【特許文献１】特開２００２−３２０１８９号公報
【発明の開示】
【発明が解決しようとする課題】
【０００３】
しかしながら、上述の表示装置にあっては、複数の静止画像データがそれぞれ個別に記憶媒体に格納されているため、それらのデータの格納場所や読出順序などの管理が煩雑になるといった問題がある。また、記憶媒体に格納されている静止画像データを参照しただでは、その静止画像データが動画像を構成するデータであるか否かを判別することができないといった問題もある。
【０００４】
本発明は、上述した事情に鑑みてなされたものであり、動画像を構成する静止画像データの管理の効率化を図ることのできる動画像データ生成装置、動画像データ生成方法および表示装置を提供することを目的とする。
【課題を解決するための手段】
【０００５】
上記目的を達成するために、１または複数の静止画像データを連結して１つの静止画像データ群を生成する静止画像データ群生成手段と、前記静止画像データ群に含まれる静止画像データの個数と、前記静止画像データ群における前記静止画像データのそれぞれの区切りを示す区切情報とを含むヘッダ部を生成するヘッダ部生成手段と、前記静止画像データ群に前記ヘッダ部を付加して１つの動画像データを生成する動画像データ生成手段とを具備することを特徴とする動画像データ生成装置を提供する。
【０００６】
また本発明は、上記発明において、前記区切情報は前記静止画像データ群に含まれる静止画像データのそれぞれのデータ容量であることを特徴とする。
【０００７】
また上記目的を達成するために、本発明は、１または複数の静止画像データを連結して１つの静止画像データ群を生成するとともに、前記静止画像データ群に含まれる静止画像データの個数と、前記静止画像データ群における前記静止画像データのそれぞれの区切りを示す区切情報とを含むヘッダ部を生成し、前記静止画像データ群に前記ヘッダ部を付加して１つの動画像データを生成することを特徴とする動画像データ生成方法を提供する。
【０００８】
また上記目的を達成するために、静止画像を表示する表示手段を備えた表示装置であって、１または複数の静止画像データが連結されてなる静止画像データ群と、前記静止画像データ群に含まれる静止画像データの個数、および、前記静止画像データ群における前記静止画像データのそれぞれの区切りを示す区切情報を含むヘッダ部とを有するフォーマットのデータを表示する場合に、前記個数および前記区切情報に基づいて前記静止画像データ群から各静止画像データを抽出し、前記静止画像データ抽出手段により抽出された前記静止画像データのそれぞれを所定の時間間隔で順次表示することを特徴とする。
【０００９】
また本発明は、上記発明において、前記静止画像データ群に含まれる前記静止画像データの個数が２以上であるか否かを判断し、２以上である場合に、前記静止画像データ群に含まれる静止画像データのそれぞれを所定の時間間隔で順次表示することを特徴とする。
【発明の効果】
【００１０】
本発明によれば、動画像データのフォーマットを、１または複数の静止画像データを連結されてなる静止画像データ群と、この静止画像データ群に含まれる静止画像データの個数および静止画像データ群における静止画像データのそれぞれの区切りを示す区切情報とを含むヘッダ部とを有するフォーマットとしたため、動画像を構成する複数の静止画像データを１つのデータとして管理することが可能となり、管理の効率化を図ることができる。
【発明を実施するための最良の形態】
【００１１】
以下、図面を参照しつつ本発明の実施の形態について説明する。
図１は本実施の形態に係る動画像データ生成装置１の機能的構成を示すブロック図であり、図２は動画像データ生成装置により生成される動画像データのデータフォーマット（構造）を模式的に示す図である。先ず、発明の理解を容易にするために、動画像データ生成装置１の構成の説明に先立って、動画像データのデータフォーマットについて説明する。
【００１２】
本実施の形態の動画像データ１０は、動画像再生機能を有しない表示装置であっても、複数の静止画像データ１１を順次表示することにより簡易的に動画像表示を可能とするものであり、図２に示すように、静止画像データ群１０Ａとヘッダ部１０Ｂとを有している。静止画像データ群１０Ａは、１または複数個の静止画像データ１１から構成され、当該動画像データ１０が静止画像である場合、静止画像データ群１０Ａは１個の静止画像データ１１から構成され、また、動画像である場合には、動画像を構成する複数個の静止画像データ１１−１〜１１−ｎが表示順に連結されて構成されている。これらの静止画像データ１１−１〜１１−ｎは互いに同一フォーマット形式のデータでも良く、また、互いに異なフォーマット形式のデータであっても良い。なお、以下の説明では、静止画像データ１１−１〜１１−ｎを特に区別する必要が無い場合には、静止画像データ１１と称することにする。
【００１３】
ヘッダ部１０Ｂは、静止画像データ群１０Ａに格納されている静止画像データ１１の情報を格納するものであり、データ個数格納部１０Ｃと、区切情報格納部１０Ｄとを備えている。データ個数格納部１０Ｃは、静止画像データ群１０Ａに格納されている静止画像データ１１の静止画像データ個数Ｋ、すなわち、動画像表示時に表示する画像枚数を格納するものである。静止画像データ個数Ｋが「１」である場合には、静止画像データ群１０Ａに格納されている静止画像データ１１が１つだけであるため、当該動画像データ１０が動画像ではなく実質的には静止画像であることを示すことになる。
【００１４】
区切情報格納部１０Ｄは、静止画像データ群１０Ａにおける各静止画像データ１１の区切りを示す区切情報を格納するものである。本実施の形態では、当該区切情報として各静止画像データ１１の静止画像データ容量Ｃが用いられ、各静止画像データ１１−１〜１１−ｎの静止画像データ容量Ｃ１〜Ｃｎが静止画像データ群１０Ａに格納されている順番、すなわち、動画像表示時に表示する順番で区切情報格納部１０Ｄの先頭から順に格納されている。
【００１５】
上記データ個数格納部１０Ｃは動画像データ１０の先頭アドレスＡ０からアドレスＡ１までの所定ビット数範囲に設けられ、また、区切情報格納部１０Ｄはデータ個数格納部１０Ｃの最終アドレスＡ１の次のアドレスＡ１＋１以降に設けられる。このとき、区切情報格納部１０Ｄのアドレス範囲Ｗは、当該区切情報格納部１０Ｄに格納される静止画像データ容量Ｃの個数により決定される。すなわち、１つの静止画像データ容量Ｃのアドレス範囲がＨであり、静止画像データ１１の個数がｎである場合には、区切情報格納部１０Ｄのアドレス範囲ＷはＨ×ｎとなる。したがって、区切情報格納部１０Ｄの開始アドレスＡ１＋１にＨ×ｎを加算したアドレスＡ２が区切情報格納部１０Ｄの最終アドレスとなる。
【００１６】
また、上記静止画像データ群１０Ａは、区切情報格納部１０Ｄの最終アドレスＡ２の次のアドレスＡ２＋１以降に設けられる。このとき、ｎ個の静止画像データ１１−１〜１１−ｎが連結されて静止画像データ群１０Ａが構成されている場合、ｍ番目の静止画像データ１１−ｍの開始アドレスＡｍは、静止画像データ群１０Ａの開始アドレスＡ２＋１に、１〜ｍ−１番目までの静止画像データ１１−１〜１１−ｍ−１の各静止画像データ容量Ｃ１〜Ｃｍ−１を加算した値により決定される。したがって、この開始アドレスＡｍから静止画像データ容量Ｃｍに相当するアドレス範囲のデータを抽出することで、ｍ番目の静止画像データ１１−ｍが抽出可能となる。このようにして、静止画像データ群１０Ａに含まれている１〜ｎ番目までの静止画像データ１１−１〜１１−ｎを先頭から順番に抽出し、それらの静止画像データ１１−１〜１１−ｎを所定の時間間隔で順次表示することで、簡易的な動画像表示が可能となる。
【００１７】
次いで、動画像を構成する複数の静止画像データから上述の動画像データ１０を生成する動画像データ生成装置１について説明する。
図１に示すように、動画像データ生成装置１は、静止画像データ入力Ｉ／Ｆ部２と、静止画像データ群生成部３と、ヘッダ部生成部４と、動画像データ生成部５と、動画像データ出力Ｉ／Ｆ部６とを備えている。かかる構成の動画像データ生成装置１は、例えばパーソナルコンピュータなどの一般的なコンピュータシステムにより構成され、上述したフォーマットの動画像データ１０を生成するためのコンピュータプログラムをコンピュータシステムに実行させることで、このコンピュータシステムを動画像データ生成装置１として機能させることが可能である。
【００１８】
上記静止画像データ入力Ｉ／Ｆ部２は、１個の静止画像データ１１、或いは、動画像を構成する複数の静止画像データ１１−１〜１１−ｎが入力されるインターフェース（Ｉ／Ｆ）であり、入力された静止画像データを順次静止画像データ群生成部３およびヘッダ部生成部４に出力するものである。
静止画像データ群生成部３は、静止画像データ入力部３から入力された静止画像データ１１を表示する順番に順次連結して静止画像データ群１０Ａを生成し、動画像データ生成部５に出力し、また、静止画像データ１１の入力個数が１個の場合、その１個の静止画像データ１１を静止画像データ群１０Ａとして動画像データ生成部５に出力する。
なお、表示の順番通りに複数の静止画像データ１１が静止画像データ入力Ｉ／Ｆ部２に入力される構成とし、静止画像データ群生成部３が、静止画像データ入力Ｉ／Ｆ部２から受け取った順に静止画像データ１１を連結することで、表示順番通りに、静止画像データ１１を連結する構成としても良く、また、静止画像データ群生成部３が連結順番（表示順番）を規定する情報を別途取得する構成としても良い。
【００１９】
ヘッダ部生成部４は、上述した動画像データ１０のヘッダ部１０Ｂを生成して、動画像データ生成部５に出力するものである。具体的には、ヘッダ部生成部４は、静止画像データ入力Ｉ／Ｆ部２から入力された静止画像データ１１の個数を静止画像データ個数Ｋとして上記データ個数格納部１０Ｃを生成するとともに、このデータ個数格納部１０Ｃに各静止画像データ１１の静止画像データ容量Ｃを順次付加して区切情報格納部１０Ｄを生成し、動画像データ生成部５に出力する。
【００２０】
動画像データ生成部５は、静止画像データ群生成部３から出力された静止画像データ群１０Ａの先頭にヘッダ部生成部４から出力されたヘッダ部１０Ｂを付加して動画像データ１０を生成し、動画像データ出力Ｉ／Ｆ部６に出力するものである。
動画像データ出力Ｉ／Ｆ部６は動画像データ１０の出力インターフェースである。
【００２１】
以上の構成の下、例えばユーザが、上記動画像データ生成装置１の機能を実現するためのコンピュータプログラムがインストールされているコンピュータシステムを操作するなどして、動画像を構成する複数の静止画像データ１１、或いは、１つの静止画像データ１１を静止画像データ入力Ｉ／Ｆ部２に入力することで、それらの静止画像データ１１が１つの動画像データ１０として動画像データ出力Ｉ／Ｆ部６から出力されることとなる。
【００２２】
次いで、本実施の形態に係る表示装置２０について詳述する。
図３は表示装置２０の機能的構成を示すブロック図である。この図に示すように、表示装置２０は、制御部２１と、データ入力Ｉ／Ｆ部２２と、記憶部２３と、表示制御部２４と、表示部２５とを備えている。制御部２１は本表示装置２０の各部の制御や各種処理のための演算処理を実行するものであり、ＣＰＵやＲＡＭ、ＲＯＭを備えている。
データ入力Ｉ／Ｆ部２２は、外部機器からデータを受け取るためのインターフェースである。
【００２３】
記憶部２３は表示すべきデータを記憶するものであり、本実施の形態では、データ入力Ｉ／Ｆ部２２から入力された動画像データ１０が、この記憶部２３に１または複数予め記憶され、動画像データ１０の表示時には、表示すべき動画像データ１０が制御部２１によって読み出される。制御部２１は、動画像データ１０の静止画像データ群１０Ａを構成する１または複数の静止画像データ１１のそれぞれのフォーマット形式を解読するための静止画像デコーダ２１Ａを有し、動画像データ１０の表示時には、静止画像データ群１０Ａから抽出された静止画像データ１１を解読して静止画像の表示用データを生成し、表示制御部２４に出力する。
【００２４】
表示制御部２４は、制御部２１から出力された表示用データにしたがって表示部２５の表示を制御するものであり、画像描画回路やビデオＲＡＭ、表示部２５を駆動する駆動回路を備えている。表示部２５は表示制御部２４の制御の下、静止画像などの各種情報を表示するものであり、液晶パネル、有機ＥＬ（electroluminescence）パネルなどのフラットパネルディスプレイや、ＣＲＴ（Cathode Ray Tube）ディスプレイなどにより構成されている。
【００２５】
次いで、本表示装置２０の動作について図４を参照して説明する。
図４は表示装置２０が動画像データ１０を表示する際の動作を示すフローチャートである。この図に示すように、表示装置２０の制御部２１は、表示すべき動画像データ１０を記憶部２３から読み出した後（ステップＳ１）、ヘッダ部１０Ｂのデータ個数格納部１０Ｃに格納された静止画像データ個数Ｋを参照して、静止画像データ群１０Ａに含まれている静止画像データ１１の個数、すなわち、表示すべき静止画像データ１１の個数を取得する（ステップＳ２）。
【００２６】
次いで、制御部２１は、静止画像データ個数Ｋが２以上であるか否かを判断し（ステップＳ３）、２以上でない場合、すなわち、静止画像データ群１０Ａが１つの静止画像データ１１である場合には（ステップＳ３：ＮＯ）、動画像データ１０から静止画像データ群１０Ａを抽出し、その静止画像データ１０Ａを静止画像として表示する（ステップＳ４）。
【００２７】
一方、静止画像データ個数Ｋが２以上である場合（ステップＳ３：ＹＥＳ）、制御部２１は、静止画像データ群１０Ａに含まれている複数の静止画像データ１１を所定時間間隔で順次表示して、動画像として簡易的に表示するための処理を実行する。
具体的には、制御部２１は、先ず、表示済みの静止画像データ１１の数をカウントするためのカウンタ変数Ｘを生成し、そのカウンタ変数Ｘを「０」に初期化する（ステップＳ５）。
【００２８】
次いで、制御部２１は、ヘッダ部１０Ｂの区切情報格納部１０Ｄに格納されているＸ＋１番目の静止画像データ容量Ｃを参照して、その静止画像データ容量Ｃに基づいて、静止画像データ群１０ＡからＸ＋１番目の静止画像データ１１を抽出する（ステップＳ６）。そして、制御部２１は、抽出した静止画像データ１１に基づいて表示用データを生成し、表示制御部２４に出力することで、Ｘ＋１番目の静止画像データ１１を表示部２５に表示した後（ステップＳ７）、カウンタ変数Ｘを「１」だけインクリメントする（ステップＳ８）。
【００２９】
次に、制御部２１は、ステップＳ７にて静止画像データ１１を表示してから所定時間の経過を計時した後（ステップＳ９）、カウンタ変数Ｘが静止画像データ個数Ｋと一致するか否かを判断する（ステップＳ１０）。そして、カウンタ変数Ｘが静止画像データ個数Ｋと一致していない場合（ステップＳ１０：ＮＯ）、次の静止画像データ１１を表示すべく、処理手順をステップＳ６に戻す。また、カウンタ変数Ｘが静止画像データ個数Ｋと一致する場合には（ステップＳ１０：ＹＥＳ）、静止画像データ群１０Ａに含まれている全ての静止画像データ１１が表示された事を示すため、本処理を終了する。これにより、複数の静止画像データ１１が順番に所定時間間隔で表示部２５に表示され、動画像の簡易的な表示が行われることとなる。
【００３０】
以上説明したように、本実施の形態によれば、動画像データとして、１または複数の静止画像データ１１を連結されてなる静止画像データ群１０Ａと、この静止画像データ群１０Ａに含まれる静止画像データ１１の個数Ｋおよび静止画像データ群１０Ａにおける静止画像データ１１のそれぞれの区切りを示す静止画像データ容量Ｃとを含むヘッダ部１０Ｂとを有するフォーマットのデータを用いる構成としたため、動画像を構成する複数の静止画像データ１１を１つのデータとして管理することが可能となり、管理の効率化を図ることができる。また、ヘッダ部１０Ｂに静止画像データ個数Ｋが格納されているため、ヘッダ部１０Ｂを参照することで、静止画像データ群１０Ａを静止画像として処理するのか、または、動画像として処理するのかを容易に判断することができる。
【００３１】
また、本実施の形態によれば、動画像データ１０の静止画像データ群１０Ａは、静止画像データ１１を連結しただけの構成であるため、当該動画像データ１０を表示する装置（表示装置２０）は、静止画像データ１１を表示する機能だけを有すれば良く、機能の簡素化を図ることができる。
【００３２】
なお、上述した実施の形態は、あくまでも本発明の一態様を示すものであり、本発明の範囲内で任意に変形および応用が可能である。
例えば、上述した実施の形態において、動画像データ１０のヘッダ部１０Ｂに各静止画像データ１１を表示する際の表示時間間隔を格納する構成としても良い。また、例えば各静止画像データ１１の区切情報と合わせて、当該区切情報に対応する静止画像データ１１を表示する時間を格納し、静止画像データ１１ごとに表示時間を異ならせる構成としても良い。
【００３３】
また例えば、上述した実施の形態では、区切情報として各静止画像データ１１のデータ容量Ｃを用いる構成としたが、これに限らず、例えば各静止画像データ１１の先頭アドレスを区切情報として用いる構成としても良い。このとき、各静止画像データ１１の先頭アドレスを静止画像データ群１０Ａの開始アドレスＡ２＋１（図２参照）を基準とした相対アドレスとすることも可能である。
【００３４】
また上述した表示装置２０は、例えば、カーナビゲーション装置やカーオディオ装置といった車載機器や、携帯電話機、ＰＤＡ（Personal Digital Assistance）といった携帯型電子機器などの各種の電子機器に組み込んで実施することが可能である。
【図面の簡単な説明】
【００３５】
【図１】本発明の実施の形態に係る動画像データ生成装置の機能的構成を示すブロック図である。
【図２】動画像データのフォーマット（構造）を模式的に示す図である。
【図３】表示装置の機能的構成を示すブロック図である。
【図４】動画像データを表示する場合の動作を示すフローチャートである。
【符号の説明】
【００３６】
１  動画像データ生成装置
３  静止画像データ群生成部
４  ヘッダ部生成部
５  動画像データ生成部
１０  動画像データ
１０Ａ  静止画像データ群
１０Ｂ  ヘッダ部
１１  静止画像データ
２０  表示装置
【図１】
2006270740.tif 000003
【図２】
2006270740.tif 000004
【図３】
2006270740.tif 000005
【図４】
2006270740.tif 000006